(57)【要約】【課題】転倒を防止するとともにドアの開口部などの隘路を容易に通過できる載置台及びディスプレイ装置を提供する。【解決手段】略直方体状の本体の下部に、複数方向に脚部が突出する支持部を形成した載置台であって、本体の右前方に右前脚部２’が、本体の左前方に左前脚部２が、本体の右後方に右後脚部３’が、本体の左後方に左後脚部３がそれぞれ突出し、支持部の本体正面側は、本体の前面と上面視略同一形状である。【選択図】　　　　図１
2004104367.tif 000002
【特許請求の範囲】
【請求項１】
略直方体状の本体の下部に、複数方向に脚部が突出する支持部を形成した載置台であって、
前記本体の右前方に右前脚部が、前記本体の左前方に左前脚部が、前記本体の右後方に右後脚部が、前記本体の左後方に左後脚部がそれぞれ突出し、
前記支持部の前記本体正面側は、前記本体の前面と上面視略同一形状であることを特徴とする載置台。
【請求項２】
前記右前脚部と前記本体の前面との交点から前記右後脚部の最も遠い箇所までの距離、及び、前記左前脚部と前記本体の前面との交点から前記左後脚部の最も遠い箇所までの距離のいずれもが７００ｍｍよりも短いことを特徴とする請求項１記載の載置台。
【請求項３】
前記支持部の下面に、前記本体の前後方向に突出する転倒支持部材が配置され、
該転倒防止部材は、前記右前脚部の略先端及び前記左前脚部の略先端から、前記本体の前方に突出することを特徴とする請求項１又は２記載の載置台。
【請求項４】
前記右前脚部と前記本体の前面との交点から前記転倒防止部材の前記本体後方向に突出した部分の最も遠い箇所までの距離、及び、前記左前脚部と前記本体の前面との交点から前記転倒防止部材の前記本体後方向に突出した部分の最も遠い箇所までの距離のいずれもが７００ｍｍよりも短かいことを特徴とする請求項３記載の載置台。
【請求項５】
前記転倒防止部材の前記本体後方向に突出する部分が、上面から見た場合に、前記本体の後面と、前記右前脚部と前記本体の前面との交点から半径７００ｍｍの円弧と、前記左前脚部と前記本体の前面との交点から半径７００ｍｍの円弧と、これらの円弧に共通の接線とで囲まれる領域内に収納可能に設けられたことを特徴とする請求項３記載の載置台。
【請求項６】
情報表示手段を備えた略直方体状の本体の下部に、複数方向に脚部が突出する支持部を形成したディスプレイ装置であって、
前記本体の右前方に右前脚部が、前記本体の左前方に左前脚部が、前記本体の右後方に右後脚部が、前記本体の左後方に左後脚部がそれぞれ突出し、
前記支持部の前記本体正面側は、前記本体の前面と上面視略同一形状であることを特徴とするディスプレイ装置。
【請求項７】
前記右前脚部と前記本体の前面との交点から前記右後脚部の最も遠い箇所までの距離、及び、前記左前脚部と前記本体の前面との交点から前記左後脚部の最も遠い箇所までの距離のいずれもが７００ｍｍよりも短いことを特徴とする請求項６記載のディスプレイ装置。
【請求項８】
前記支持部の下面に、前記本体の前後方向に突出する転倒支持部材が配置され、
該転倒防止部材は、前記右前脚部の略先端及び前記左前脚部の略先端から、前記本体の前方に突出することを特徴とする請求項６又は７記載のディスプレイ装置。
【請求項９】
前記右前脚部と前記本体の前面との交点から前記転倒防止部材の前記本体後方向に突出した部分の最も遠い箇所までの距離、及び、前記左前脚部と前記本体の前面との交点から前記転倒防止部材の前記本体後方向に突出した部分の最も遠い箇所までの距離のいずれもが７００ｍｍよりも短かいことを特徴とする請求項８記載のディスプレイ装置。
【請求項１０】
前記転倒防止部材の前記本体後方向に突出する部分が、上面から見た場合に、前記本体の後面と、前記右前脚部と前記本体の前面との交点から半径７００ｍｍの円弧と、前記左前脚部と前記本体の前面との交点から半径７００ｍｍの円弧と、これらの円弧に共通の接線とで囲まれる領域内に収納可能に設けられたことを特徴とする請求項８記載のディスプレイ装置。
【請求項１１】
前記情報表示手段にタッチパネルが設けられたことを特徴とする請求項６から１０のいずれか１項記載のディスプレイ装置。
【発明の詳細な説明】
【０００１】
【発明の属する技術分野】
本発明は、被載置物が移動可能に載置される載置台及び移動機構を備えたディスプレイ装置に関し、特に、ドアの開口部などの隘路を容易に通過できる載置台及びディスプレイ装置に関する。
【０００２】
【従来の技術】
近年ディスプレイ装置は大画面化に伴って大型化する傾向にあり、装置の高さも高くなってきている。
【０００３】
このため、安全性を最優先する場合には、床面や壁面にアンカーを打ち込んでディスプレイ装置を固定することが好ましいが、移動性を考慮した場合には、ディスプレイ装置を固定せず、キャスターなどを用いて移動可能にすることが好ましい。
【０００４】
近年の大型ディスプレイ装置は、殆どが薄型（すなわち、幅寸法＞＞奥行き寸法）で前後方向の安定性が良くないため、装置の前後に脚を張り出した形状となる。
【０００５】
また、事務機器の適用規格であるＩＥＣ６０９５０の安定性項目を適用する場合には、装置の前後方向に大幅に張り出さなければならない。しかし、あまり大きく張り出させると、ディスプレイ装置の安定性は向上するものの、移動する際にドアを通過できなくなるという不具合が生じることとなる。
【０００６】
表示装置を載置する台に関する従来技術として、特許文献１に開示される「表示装置のスタンド」がある。
【０００７】
【特許文献１】
特開２００１−３４１７９号公報　（第２頁−３頁、第１図）
【０００８】
特許文献１に記載された発明は、表示装置を再設置性よく配置するものである。
【０００９】
【発明が解決しようとする課題】
しかし特許文献１に記載された発明は、表示装置の安定性を高めることを目的としており、表示装置の移動性に関しては何ら考慮されていない。
【００１０】
本発明はかかる問題に鑑みてなされたものであり、転倒を防止するとともにドアの開口部などの隘路を容易に通過できる載置台及びディスプレイ装置を提供することを目的とする。
【００１１】
【課題を解決するための手段】
上記目的を達成するため、本発明は、第１の態様として、略直方体状の本体の下部に、複数方向に脚部が突出する支持部を形成した載置台であって、本体の右前方に右前脚部が、本体の左前方に左前脚部が、本体の右後方に右後脚部が、本体の左後方に左後脚部がそれぞれ突出し、支持部の本体正面側は、本体の前面と上面視略同一形状であることを特徴とする載置台を提供するものである。
【００１２】
上記本発明の第１の態様において、右前脚部と本体の前面との交点から右後脚部の最も遠い箇所までの距離、及び、左前脚部と本体の前面との交点から左後脚部の最も遠い箇所までの距離のいずれもが７００ｍｍよりも短いことが好ましい。
【００１３】
また、上記本発明の第１の態様のいずれの構成においても、支持部の下面に、本体の前後方向に突出する転倒支持部材が配置され、該転倒防止部材は、右前脚部の略先端及び左前脚部の略先端から、本体の前方に突出することが好ましい。これに加え、右前脚部と本体の前面との交点から転倒防止部材の本体後方向に突出した部分の最も遠い箇所までの距離、及び、左前脚部と本体の前面との交点から転倒防止部材の本体後方向に突出した部分の最も遠い箇所までの距離のいずれもが７００ｍｍよりも短かいことがさらに好ましい。
又は、転倒防止部材の本体後方向に突出する部分が、上面から見た場合に、本体の後面と、右前脚部と本体の前面との交点から半径７００ｍｍの円弧と、左前脚部と本体の前面との交点から半径７００ｍｍの円弧と、これらの円弧に共通の接線とで囲まれる領域内に収納可能に設けられることがさらに好ましい。
【００１４】
また、上記目的を達成するため、本発明は、第２の態様として、情報表示手段を備えた略直方体状の本体の下部に、複数方向に脚部が突出する支持部を形成したディスプレイ装置であって、本体の右前方に右前脚部が、本体の左前方に左前脚部が、本体の右後方に右後脚部が、本体の左後方に左後脚部がそれぞれ突出し、支持部の本体正面側は、本体の前面と上面視略同一形状であることを特徴とするディスプレイ装置を提供するものである。
【００１５】
上記本発明の第２の態様において、右前脚部と本体の前面との交点から右後脚部の最も遠い箇所までの距離、及び、左前脚部と本体の前面との交点から左後脚部の最も遠い箇所までの距離のいずれもが７００ｍｍよりも短いことが好ましい。
【００１６】
上記本発明の第２の態様のいずれの構成においても、支持部の下面に、本体の前後方向に突出する転倒支持部材が配置され、該転倒防止部材は、右前脚部の略先端及び左前脚部の略先端から、本体の前方に突出することが好ましい。
これに加え、右前脚部と本体の前面との交点から転倒防止部材の本体後方向に突出した部分の最も遠い箇所までの距離、及び、左前脚部と本体の前面との交点から転倒防止部材の本体後方向に突出した部分の最も遠い箇所までの距離のいずれもが７００ｍｍよりも短かいことがさらに好ましい。
又は、転倒防止部材の本体後方向に突出する部分が、上面から見た場合に、本体の後面と、右前脚部と本体の前面との交点から半径７００ｍｍの円弧と、左前脚部と本体の前面との交点から半径７００ｍｍの円弧と、これらの円弧に共通の接線とで囲まれる領域内に収納可能に設けられることがさらに好ましい。
【００１７】
上記本発明の第２の態様のいずれの構成においても、情報表示手段にタッチパネルが設けられることが好ましい。
【００１８】
〔作用〕
本発明による載置台及びディスプレイ装置は、以下に示すような作用を奏する。
○転倒防止のために前方に張り出した脚部の中央部がえぐれていることによってユーザが被載置物や情報表示手段に近づくことを阻害しない。
○隘路の幅よりも奥行き寸法が大きい場合でも、右前脚部と本体の前面との交点から右後脚部（又は、転倒防止部材の本体後方向に突出する部分）の最も遠い箇所までの距離、及び、左前脚部と本体の前面との交点から左後脚部（又は、転倒防止部材の本体後方向に突出する部分）の最も遠い箇所までの距離のいずれもが隘路の幅よりも小さければ通過できる。
○転倒防止部材を脚部の略先端から突出させることにより、ユーザが被載置物や情報表示手段に近づくことを阻害しない。
○転倒防止部材を収納可能に設置することによって、さらに狭い隘路を通過させることができる。
○ユーザがタッチパネルを備えた情報表示手段に容易に近づいて操作できる。
【００１９】
【発明の実施の形態】
〔第１の実施形態〕
本発明を好適に実施した第１の実施形態について説明する。図１に、本実施形態による載置台及びこれに載置されたディスプレイを示す。
ディスプレイ１は大型の表示装置であり、安定性向上させるために、前及び左右に脚２、２’、３及び３’を載置台から張り出させている（図１においては、脚３’は、ディスプレイの裏に位置するため不図示）。
【００２０】
ディスプレイ１の本体正面側には、これらの脚の張り出しは無く、本体前面の位置までえぐれている。
ここで、左前側の脚２と本体前面部との交点をｏ点とし、ｏ点から左後ろに張り出した脚３の一番遠い箇所をｄ点とする。同様に、左前側の脚２’と本体前面部との交点をｏ’点とし、ｏ’点から左後ろに張り出した脚３’の一番遠い箇所をｄ’点とする。この時ｏ−ｄ間及びｏ’−ｄ’間の距離をいずれもａとする。
【００２１】
図２に、載置台の本体脚部分の上面図を示す。ここで本体の奥行き寸法をＤとした場合、ＩＥＣ６０９５０の安定性項目を満たそうとすると、最低全高さの４０％＋αの幅が必要となる。全高さが例えば移動時にドアを通過するぎりぎりの１９００ｍｍと仮定するとＤは７６０ｍｍ＋α必要となる。
αは前後の設置位置から脚の先端部までの距離であり、通常は５０〜１００ｍｍ程度必要となる。つまり、奥行き寸法は最低でも８１０ｍｍとなる。
【００２２】
一方、図２においてｌで表すドアの開口部の寸法は、種類により様々であるが、一般的な一間幅のドアの場合は、７２０〜８６０ｍｍである。この場合、Ｄ＞ｌだと、載置台はドアを通過できないことになる。
【００２３】
しかし、本実施形態のように、載置台の正面に脚が張り出さない形状で、かつａが７００ｍｍ以下である場合には、図３に示すように移動させることでドアを通過させることができる。
【００２４】
この方法を詳細に説明する。図３においては、本体前面左側の脚に点を付してその動きを矢印で示している。
▲１▼→▲２▼ドアの開口部に対して斜めを向けた状態で載置台をドアの開口部に接近させる。
▲２▼→▲３▼本体前面右側の脚をドアの開口部に通す。
▲３▼→▲４▼ドアの開口部に通した右側の脚の付け根（ｏ’点）を中心として、左側の脚が弧を描くように全体を回転させ、載置台がドアの開口部と直角になるように配置する。
▲４▼→▲５▼本体前面左側の脚が支える直前まで、本体を通過させる。
▲５▼→▲６▼本体前面左側の脚の付け根（ｏ点）を中心として、左側の脚が弧を描くように全体を回転させる。
▲６▼→▲７▼本体前面左側の脚がドアの開口部に支えなくなる角度に載置台を位置させる。
▲７▼→▲８▼本体前面左側の脚を通過させる。
なお、載置台の左側からドアを通過させる場合も上記同様である。
【００２５】
図４に示すように、上記方法でドアの開口部などを通過させる場合は、脚３（又は３’）がｏ点（又はｏ’点）から半径ａの円弧を描くこととなる。この場合は、実質的には幅ａの物体がドアを通過すると見なすことができる。よって、Ｄ＞ｌであっても、ａ＜ｌであればドアを通過させることができる。
【００２６】
このように、本実施形態による載置台は、高い安定性を備えるとともに、ドアなどの隘路を通過させやすいため、容易に移動できる。
また、載置台の正面には脚を配置せず、載置台の正面がディスプレイ１の前面と略同一位置であるため、プレゼンターが画面に近づくことを妨げない。タッチパネルを備えたディスプレイ装置の場合は、プレゼンターが画面に触れる必要があるため、特に好適である。
【００２７】
〔第２の実施形態〕
本発明を好適に実施した第２の実施形態について説明する。
本実施形態の載置台は、着脱自在な転倒防止部材を脚部の下側に取り付け、本体の脚よりもさらに張り出させることで安定性を向上させるものである。
【００２８】
図５に、転倒防止金具の一例を示す。また、図６に、転倒防止部材を本体の脚部に取り付けた状態を示す。
図に示すように、転倒防止金具は、載置台前面の脚部２、２’の先端部近傍から突出するように配置され、載置台正面付近には配置されない。このため、ディスプレイ装置を載置した場合には、プレゼンターが画面に近づくことが妨げられない。
【００２９】
図７に示すように、転倒防止金具を備えた構成の場合は、左前側の脚２と本体前面部との交点をｏ点とし、ｏ点から載置台左後ろに突出する転倒防止金具の一番遠い箇所ｄ点までの距離（又は、左前側の脚２’と本体前面部との交点をｏ’点とし、ｏ’点から載置台右後ろに突出する転倒防止金具の一番遠い箇所ｄ’点までの距離）をａとした時にａ＜ｌであれば、第１の実施形態と同様の方法でドアの開口部を通過できる。
【００３０】
このように、本実施形態による載置台は、第１の実施形態の載置台よりも、安定性をさらに向上させることが可能となる。
【００３１】
〔第３の実施形態〕
本発明を好適に実施した第３の実施形態について説明する。本実施形態の載置台は、第２の実施形態と同様に転倒防止部材を設け、載置台後側から突出する部分を収納可能としたものである。
【００３２】
図８に、本実施形態のよる載置台の脚部の上面図を示す。転倒防止部材は、載置台の脚部に回動自在に取り付けられている。載置台を任意の位置に設置する場合は、転倒防止部材を本体後側から突出させることによって、安定性を向上させることができる。
また、載置台を移動させる際には、転倒防止部材を回転させ、本体後側から突出しないように収納することで、第１の実施形態と同じ条件であればドアを通過させることができる。
なお、転倒防止部材は、脚部の下側に完全に収納されなくともよく、図８にｇで示すように、載置台後面と、ｏ点から半径ａの円弧と、ｏ’点から半径ａの円弧と、これらの円弧に共通して接する直線と囲まれる領域内に転倒防止部材の先端が収納されればよい。
【００３３】
このように、本実施形態の載置台は、第２の実施形態と同様に、安定性をより向上させて確実に転倒を防止できることに加え、ドアの開口部などの隘路をより容易に通過させることができる。
【００３４】
なお、上記各実施形態は本発明の好適な実施の一例であり、本発明はこれに限定されるものではない。
例えば、上記各実施形態では、載置台とディスプレイとが別個の構成の場合を例に説明したが、載置台とディスプレイ装置とが一体の構成であってもよい。すなわち、上記各実施形態において説明した形状の脚部や転倒防止部材をディスプレイ装置に直接配置するようにしてもよい。
また、上記各実施形態では、左右対称な形状を例に説明したが、左右非対称形状であってもよい。この場合は、ｏ−ｄ間の距離及びｏ’−ｄ’間の距離のうち大きい方の値がｌ以下であれば良い。
また、載置台に載置する対象はディスプレイ装置に限定されることはなく、他の電子機器であっても良い。
このように、本発明は様々な変形が可能である。
【００３５】
【発明の効果】
以上の説明により明らかなように、本発明によれば、転倒を防止するとともにドアの開口部などの隘路を容易に通過できる載置台及びディスプレイ装置を提供できる。
【図面の簡単な説明】
【図１】本発明を好適に実施した第１の実施形態による載置台を示す図である。
【図２】第１の実施形態による載置台の脚部の上面図である。
【図３】ドアなどの隘路を通過させる方法の一例を示す図である。
【図４】載置台の前面と前側の脚との交点と、後側の脚との関係を示す図である。
【図５】本発明を好適に実施した第２の実施形態による載置台に適用される転倒防止部材の一例を示す図である。
【図６】第２の実施形態による載置台に転倒防止部材を設置した状態を示す図である。
【図７】本発明を好適に実施した第３の実施形態による載置台の脚部の上面図である。
【図８】第３の実施形態による載置台に適用される転倒防止部材の収納例を示す図である。
【符号の説明】
１　ディスプレイ
２、２’、３、３’　脚
【図１】
2004104367.tif 000003
【図２】
2004104367.tif 000004
【図３】
2004104367.tif 000005
【図４】
2004104367.tif 000006
【図５】
2004104367.tif 000007
【図６】
2004104367.tif 000008
【図７】
2004104367.tif 000009
【図８】
2004104367.tif 000010